(57)【特許請求の範囲】
【請求項１】
パネル本体と、
前記パネル本体の一方の端縁側に設けられ、前記パネル本体の板厚方向へ向けて突出形成されて第１の嵌合凸条を具備した第１のパネル縁部材と、
前記パネル本体の前記一方の端縁側とは反対側の他方の端縁側に設けられ、前記第１の嵌合凸条とは９０度異なった方向に向けて突出形成された第２の嵌合凸条を具備した第２のパネル縁部材とを有するパネル組立体。
【請求項２】
パネル本体と、
前記パネル本体の一方の端縁側に設けられ、前記パネル本体の板厚方向へ向けて開口した第１の嵌合凹溝を具備した第１のパネル縁部材と、
前記パネル本体の前記一方の端縁側とは反対側の他方の端縁側に設けられ、前記第１の嵌合凹溝とは９０度異なった方向に向けて突出形成された第２の嵌合凹溝を具備した第２のパネル縁部材とを有するパネル組立体。
【請求項３】
請求項１に記載のパネル組立体をパネル取付面上に装着するためのパネル取付構造であって、
前記パネル取付面上に固定装着され、第１の取付面側嵌合部を具備した第１のパネル取付具と、
前記パネル取付面上の、前記第１のパネル取付具から離隔した位置に固定装着され、第２の取付面側嵌合部を具備した第２のパネル取付具とを有し、
前記第１の嵌合凸条と前記第１の取付面側嵌合部との嵌合部は、前記パネル取付面に対して位置決めされた位置にて前記パネル本体の回動を許す嵌合状態をなし、
前記第２の嵌合凸条と前記第２の取付面側嵌合部との嵌合部は、前記第１の嵌合凸条と前記第１の取付面側嵌合部との嵌合部を回動中心とした前記パネル取付面に対する前記パネル本体の回動により嵌合状態になり、
前記双方の嵌合部の嵌合により前記パネル組立体が前記パネル取付面に装着されるパネル取付構造。
【請求項４】
前記パネル組立体に前記第２のパネル取付具を隠すスカート部が設けられている請求項３に記載のパネル取付構造。
【請求項５】
前記第１のパネル取付具と前記第２のパネル取付具の少なくとも一方が、前記第１の取付面側嵌合部と前記第２の取付面側嵌合部の双方を具備している請求項３または４に記載のパネル取付構造。
【請求項６】
請求項２に記載のパネル組立体をパネル取付面上に装着するためのパネル取付構造であって、
前記パネル取付面上に固定装着され、第３の取付面側嵌合部を具備した第３のパネル取付具と、
前記パネル取付面上の、前記第１のパネル取付具から離隔した位置に固定装着され、第４の取付面側嵌合部を具備した第４のパネル取付具とを有し、
前記第１の嵌合凹溝と前記第３の取付面側嵌合部との嵌合部は、前記パネル取付面に対して位置決めされた位置にて前記パネル本体の回動を許す嵌合状態をなし、
前記第２の嵌合凹溝と前記第４の取付面側嵌合部との嵌合部は、前記第１の嵌合凹溝と前記第３の取付面側嵌合部との嵌合部を回動中心とした前記パネル取付面に対する前記パネル本体の回動により嵌合状態になり、
前記双方の嵌合部の嵌合により前記パネル組立体が前記パネル取付面に装着されるパネル取付構造。
【請求項７】
前記パネル組立体に前記第４のパネル取付具を隠すスカート部が設けられている請求項６に記載のパネル取付構造。
【請求項８】
前記第３のパネル取付具と前記第４のパネル取付具の少なくとも一方が、前記第３の取付面側嵌合部と前記第４の取付面側嵌合部の双方を具備している請求項６または７に記載のパネル取付構造。
【発明の詳細な説明】
【技術分野】
【０００１】
本発明は、パネル取付構造及びパネル取付具及びパネル組立体に関し、特に、住宅、オフィス等の内装壁面に装着されて化粧面をなす内装パネル（化粧パネル）の取付構造及びパネル取付具及びパネル組立体に関するものである。
【背景技術】
【０００２】
住宅、オフィスの部屋、廊下等の壁面に装着される化粧パネルの取付構造として、化粧パネルの裏面に突出したリブが設けられ、リブ端部の両側面にリブの根本に向かってハ字状に開く一対のばね部を有する固定部材が取付けられ、内装壁面には断面コ字型で開口縁に抜け止め突条を有する胴縁が、両開口縁部が固定部材に対向するように取付けられ、ばね部の開きに抗して固定部材が胴縁内（パネル係合溝）に挿入されると、ばね部が胴縁の両横辺部に圧接されると共に、抜け止め突条にばね部の先端が係合され、固定部材が胴縁に固定されるように構成された乾式施工によるものがある（例えば、特許文献１）。
【０００３】
また、もう一つの乾式施工による化粧パネルの取付構造として、目地部材が内装壁面に設けられ、断面コ字状の取付部材が化粧パネルに取付けられ、目地部材に形成された断面コ字状の挿入溝（パネル係合溝）に取付部材の開放先端が挿入係止されることにより、化粧パネルが内装壁面に取付けられるように構成されたものがある（例えば、特許文献２）。
【先行技術文献】
【特許文献】
【０００４】
【特許文献１】実公平６−３１０１３号公報
【特許文献２】特開２００７−９６１２号公報
【発明の概要】
【発明が解決しようとする課題】
【０００５】
従来の化粧パネル取付構造では、胴縁、目地部材に形成されているパネル係合溝が、壁面の上下に取り付けられる胴縁あるいは目地部材の双方で、壁面の前方に向けて開口しているので、化粧パネルを壁面に対して平行移動させるようにして、化粧パネルの取り付け、取り外しの作業を行わなくてはならない。
【０００６】
このため、化粧パネルの取り付け、取り外しを、一般の人、女性でも行える程には容易でなく、部屋の模様替え等をしたくて化粧パネルを一般の人、女性が取り替える程の容易さには至っておらず、化粧パネルの交換は、施工業者に委ねることになる。このことは、特に、化粧パネルが大型化するほど顕著なものになる。
【０００７】
また、従来の化粧パネル取付構造では、化粧パネル取付のために内装壁面に取り付けられる胴縁や目地部材が施工完了後も、完全には目隠しされず、外部に露呈する。このため、従来の化粧パネル取付構造は、一般的な壁紙仕上げの内装に比して美観について劣る。また、胴縁や目地部材は、施工完了後も完全には目隠しされないため、美観上、断片的なものになり得ず、化粧パネルの横幅全長に亘る長尺のものになる。このため、胴縁や目地部材の内装壁面への水平な取り付けが面倒なものになる。
【０００８】
本発明が解決しようとする課題は、気軽に部屋の模様替えを自分で行えるよう、化粧パネルの取り替えを一般の人や女性でも容易に行えるようにし、さらには、化粧パネル取り付け状態での美観に優れたものにすることである。
【課題を解決するための手段】
【０００９】
本発明によるパネル取付構造は、パネル本体をパネル取付面上に装着するためのパネル取付構造であって、前記パネル取付面上に固定装着され、第１の取付面側嵌合部を具備した第１のパネル取付具と、前記パネル取付面上の、前記第１のパネル取付具から離隔した位置に固定装着され、第２の取付面側嵌合部を具備した第２のパネル取付具と、前記パネル本体の一方の端縁側に設けられ、前記第１の取付面側嵌合部に係脱可能に嵌合する第１のパネル側嵌合部を具備した第１のパネル縁部材と、前記パネル本体の前記一方の端縁側とは反対側の他方の端縁側に設けられ、前記第２の取付面側嵌合部に係脱可能に嵌合する第２のパネル側嵌合部を具備した第２のパネル縁部材とを有し、前記第１の取付面側嵌合部と前記第１のパネル側嵌合部との嵌合部と、前記第２の取付面側嵌合部と前記第２のパネル側嵌合部との嵌合部の何れか一方の嵌合部は、前記パネル取付面に対して位置決めされた位置にて前記パネル本体の回動を許す嵌合状態をなし、他方の嵌合部は、前記一方の嵌合部を回動中心とした前記パネル取付面に対する前記パネル本体の回動により嵌合状態になり、前記双方の嵌合部の嵌合により前記パネル本体が前記パネル取付面に装着される。
【００１０】
また、本発明によるパネル取付構造は、パネル本体をパネル取付面上に装着するためのパネル取付構造であって、前記パネル取付面上に固定装着され、前記パネル取付面に離接する方向を嵌合方向とした第１の取付面側嵌合部を具備した第１のパネル取付具と、前記パネル取付面上の、前記第１のパネル取付具から離隔した位置に固定装着され、前記前記第１のパネル取付具が配置されている方向を嵌合方向とした第２の取付面側嵌合部を具備した第２のパネル取付具と、前記パネル本体の一方の端縁側に設けられ、前記第１の取付面側嵌合部に係脱可能に嵌合する第１のパネル側嵌合部を具備した第１のパネル縁部材と、前記パネル本体の前記一方の端縁側とは反対側の他方の端縁側に設けられ、前記第２の取付面側嵌合部に係脱可能に嵌合する第２のパネル側嵌合部を具備した第２のパネル縁部材とを有する。
【００１１】
本発明によるパネル取付構造は、好適な一つの実施形態として、前記第１の取付面側嵌合部と前記第２の取付面側嵌合部は、前記パネル取付面に沿って互いに平行に延在する凹溝あるいは凸条の何れか一方であり、前記第１のパネル側嵌合部と前記第２のパネル側嵌合部は、前記パネル取付面に沿って互いに平行に延在する凹溝あるいは凸条の何れか他方である。
【００１２】
本発明によるパネル取付構造は、好適なもう一つの実施形態として、前記凹溝は円弧内周面によるＣ形の横断面形状をしており、前記凸条は前記凹溝に円弧方向に摺動可能に嵌合する円弧外周面による拡頭部を含んでいる。
【００１３】
本発明によるパネル取付構造は、好適な他の実施形態として、前記第１のパネル取付具と前記第２のパネル取付具の少なくとも一方が、前記第１の取付面側嵌合部と前記第２の取付面側嵌合部の双方を具備している。
【００１４】
本発明によるパネル取付構造は、好ましくは、更に、前記パネル本体との連結部とは反対の方向に延出し前記第１のパネル取付具の前方に位置して当該第１のパネル取付具を隠すスカート部を有する。
【００１５】
本発明によるパネル取付具は、パネル取付面上に固定装着されるパネル取付具であって、前記パネル取付面の前方に向けて開口し且つ前記パネル取付面に沿って延在する第１の嵌合凹溝と、前記第１の嵌合凹溝の開口方向とは９０度異なった方向に向けて開口し且つ前記パネル取付面に沿って前記第１の嵌合凹溝と平行に延在する第２の嵌合凹溝とを具備している。
【００１６】
また、本発明によるパネル取付具は、パネル取付面上に固定装着されるパネル取付具であって、前記パネル取付面の前方に向けて突出し且つ前記パネル取付面に沿って延在する第１の嵌合凸条と、前記第１の嵌合凸条の突出方向とは９０度異なった方向に向けて突出し且つ前記パネル取付面に沿って前記第１の嵌合凸条と平行に延在する第２の嵌合凸条とを具備している。
【００１７】
本発明によるパネル組立体は、パネル本体と、前記パネル本体の一方の端縁側に設けられ、前記パネル本体の板厚方向へ向けて突出形成されて第１の嵌合凸条を具備した第１のパネル縁部材と、前記パネル本体の前記一方の端縁側とは反対側の他方の端縁側に設けられ、前記第１の嵌合凸条とは９０度異なった方向に向けて突出形成された第２の嵌合凸条を具備した第２のパネル縁部材とを有する。
【００１８】
また、本発明によるパネル組立体は、パネル本体と、前記パネル本体の一方の端縁側に設けられ、前記パネル本体の板厚方向へ向けて開口した第１の嵌合凹溝を具備した第１のパネル縁部材と、前記パネル本体の前記一方の端縁側とは反対側の他方の端縁側に設けられ、前記第１の嵌合凹溝とは９０度異なった方向に向けて突出形成された第２の嵌合凹溝を具備した第２のパネル縁部材とを有する。
【発明の効果】
【００１９】
本発明によるパネル取付構造によれば、一方の嵌合部の嵌め合いによってパネル本体は、パネル取付面に対して回動可能に位置決めされ、一方の嵌合部を回動中心としてパネル本体の他方の嵌合部の側をパネル取付面側に押すことにより、他方の嵌合部が嵌合状態になり、パネル本体がパネル取付面に装着される。この取付作業と逆の作業を行うことにより、パネル本体をパネル取付面より取り外すことができる。
【００２０】
たとえば、壁面等のパネル取付面上の下部位置に、第１のパネル取付具を、第１の嵌合凹溝が前向きに開口し且つ水平に延在するように取り付け、同パネル取付面の上部位置に、第２のパネル取付具を、第２の嵌合凹溝が下向きに開口し且つ水平に延在するように取り付ける。そして、パネル本体を下側が手前にくる方向に少し傾斜させた状態で、まず、パネル本体を押し上げることにより、第２のパネル縁部材の第２の嵌合凸条を第２のパネル取付具の第２の嵌合凹溝に嵌合させる。つぎに、パネル本体の下側を壁面へ向けて押すことにより、第１のパネル取付具の第１の嵌合凹溝に、第１のパネル縁部材の第１の嵌合凸条を嵌合させる。これにより、パネル本体のパネル取付面への取り付けが完了する。パネル本体の取り外しは、上述の取り付け作業と逆の作業によって行うことができる。
【００２１】
これにより、化粧パネルをなすパネル本体の取り付け、取り外しを、日本家屋の襖や引き戸の取り付け、取り外し程度の簡単な作業に行うことができ、化粧パネルの取り替えを一般の人や女性でも容易に行えるようになる。
【図面の簡単な説明】
【００２２】
【図１】本発明によるパネル取付構造を適用された部屋の一つ実施例の概要を示す斜視図。
【図２】本実施例によるパネル取付構造及びパネル組立体の分解斜視図。
【図３】本実施例によるパネル取付構造の縦断面図。
【図４】本実施例によるパネル取付構造のパネル取付第１段階を示す縦断面図。
【図５】本実施例によるパネル取付構造のパネル取付第２段階を示す縦断面図。
【図６】本実施例によるパネル取付構造においてパネル非取付時に使用される目隠しカバー部材の取付状態を示す縦断面図。
【図７】本実施例によるパネル取付具を示す斜視図。
【図８】他の実施例によるパネル取付構造の縦断面図。
【図９】他の実施例による目隠しカバー部材の取付状態を示す縦断面図。
【図１０】他の実施例によるパネル本体の縦断面図。
【図１１】もう一つの実施例によるパネル本体を含むパネル取付構造の縦断面図。
【図１２】他の実施例によるパネル取付構造の縦断面図。
【図１３】もう一つの実施例によるパネル取付構造の縦断面図。
【図１４】本発明によるパネル取付構造の基本構成を示す縦断面図。
【図１５】基本構成によるパネル取付構造のパネル取付第１段階を示す縦断面図。
【図１６】基本構成によるパネル取付構造のパネル取付第２段階を示す縦断面図。
【発明を実施するための形態】
【００２３】
まず、本発明によるパネル取付構造の基本構成による一つの実施例を、図１４〜図１６を参照して説明する。
【００２４】
垂直な壁面１００上の下部位置に下部パネル取付具（第１のパネル取付具）１１０が木ねじ１０２によって固定装着されている。下部パネル取付具１１０は、パネル取付面である壁面１００の前方に向けて開口し、且つ壁面１００に沿って水平に延在する前向き嵌合凹溝（第１の取付面側嵌合部、第１の嵌合凹溝）１１２を具備している。前向き嵌合凹溝１１２は円弧内周面によるＣ形の横断面形状をしている。
【００２５】
同壁面１００上の上部位置に上部パネル取付具（第２のパネル取付具）１２０が木ねじ１０４によって固定装着されている。上部パネル取付具１２０は、前向き嵌合凹溝１１２の方向に向けて、当該実施例では下向きに開口し、且つ壁面１００に沿って水平に延在する下向き嵌合凹溝（第２の取付面側嵌合部、第２の嵌合凹溝）１２２を具備している。下向き嵌合凹溝１２２は、円弧内周面によるＣ形の横断面形状をしている。
【００２６】
下部パネル取付具１１０、上部パネル取付具１２０は、長尺のもの、断片的なものの何れであってもよい。なお、パネル取付面は、壁面１００以外に、柱面等、建物躯体の表面であってもよい。
【００２７】
パネル組立体３０は、矩形のパネル本体（化粧パネル）３２と、パネル本体３２の一方の端縁（下縁）側に設けられるパネル下縁部材（第１のパネル縁部材）３６と、パネル本体３２の前記一方の端縁側とは反対側の他方の端縁（上縁）側に設けられるパネル上縁部材（第２のパネル縁部材）３４とにより構成されている。
【００２８】
パネル本体３２は、段ボール、厚紙、ベニヤ板、プラスチックス板等のボード材により構成され、表面３２Ａが、色彩、模様、図柄等を印刷された化粧面（意匠面）になっている。尚、この化粧面をなす表面３２Ａは、ボード材に壁紙相当のシートを貼り合わせて構成することもできる。
【００２９】
パネル上縁部材３４は、パネル本体３２の横幅と同じ長さを有する長尺材であり、金属、合成樹脂等により構成されており、パネル本体３２の上端縁部３２Ｂを抜き差し可能に、つまり着脱可能（交換可能）に差し込まれるパネル連結嵌合凹溝３８と、パネル連結嵌合凹溝３８とは反対の方向、つまり、上方に向けて突出形成された上部嵌合凸条（第２のパネル側嵌合部、第２の嵌合凸条）４０とを具備している。換言すると、上向きの上部嵌合凸条４０は、後述する前向きの下部嵌合凸条４４とは９０度異なった方向に突出していることになる。
【００３０】
上部嵌合凸条４０は、上部パネル取付具１２０の下向き嵌合凹溝１２２に係脱可能に、且つ下向き嵌合凹溝１２２の円弧内周方向に摺動可能に嵌合する円弧外周面による拡頭形状をしている。この上部嵌合凸条４０の下向き嵌合凹溝１２２に対する嵌合は、下向き嵌合凹溝１２２を画定する部分（対をなす脚片部）の弾性変形のもとに行われる。
【００３１】
パネル下縁部材３６は、パネル本体３２の横幅と同じ長さを有する長尺材であり、金属、合成樹脂等により構成されており、パネル本体３２の下端縁部３２Ｃを抜き差し可能に、つまり着脱可能（交換可能）に差し込まれるパネル連結嵌合凹溝４２と、パネル本体３２の厚さ方向と同方向に壁面２０に向けて後向きに突出形成された下部嵌合凸条（第１のパネル側嵌合部、第１の嵌合凸条）４４と、下部嵌合凸条４４よりパネル連結嵌合凹溝４２とは反対の方向に延出したスカート部４６とを具備している。
【００３２】
下部嵌合凸条４４は、下部パネル取付具１１０の前向き嵌合凹溝１１２に係脱可能に、且つ前向き嵌合凹溝１１２の円弧内周方向に摺動可能に嵌合する円弧外周面による拡頭形状をしている。この下部嵌合凸条４４の前向き嵌合凹溝１１２に対する嵌合は、前向き嵌合凹溝１１２を画定する部分（対をなす脚片部）の弾性変形のもとに行われる。
【００３３】
スカート部４６は、下部パネル取付具１１０の前方に位置し、下部パネル取付具１１０を前方より見て完全に隠す長さを有する。
【００３４】
化粧パネルが上述のようなパネル組立体であれば、パネル上縁部材３４とパネル下縁部材３６は、繰り返し使用し、パネル本体３２のみを交換部品とすることかでき、経済的で、省資源化に寄与する。
【００３５】
つぎに、パネル組立体３０の取り付け手順を、図１５、図１６を参照して説明する。
【００３６】
図１５に示されているように、パネル組立体３０を下側が手前にくる方向に少し傾斜させ、この状態でパネル組立体３０を押し上げることにより、図１６に示されているように、パネル上縁部材３４の上向きの上部嵌合凸条４０を上部パネル取付具１２０の下向き嵌合凹溝１２２に嵌め込む。
【００３７】
つぎに、上部嵌合凸条４０と下向き嵌合凹溝１２２との嵌合部を回動中心としてパネル組立体３０を回動させるように、パネル組立体３０の下側を壁面へ向けて押すことにより、下部パネル取付具１１０の前向き嵌合凹溝１１２に、パネル下縁部材３６の後向きの下部嵌合凸条４４を嵌合させる。
【００３８】
このパネル組立体３０を回動させる作業は、上部嵌合凸条４０が、円弧外周面による拡頭形状をして、下向き嵌合凹溝１２２の円弧内周方向に摺動可能に嵌合していることにより、当該嵌合部の摺動によって、大きい力を必要とすることなく、且つ嵌合部に大きい変形負荷を与えることなく、円滑に、作業性よく行われる。
【００３９】
以上の作業で、パネル本体３２を含むパネル組立体３０の壁面１００上への取り付けが、図１４に示されているように、完了する。パネル組立体３０の取り外しは、上述の取り付け作業と逆の作業によって行うことができる。
【００４０】
これにより、パネル組立体３０（化粧パネル）の取り付け、取り外しを、日本家屋の襖や引き戸の取り付け、取り外し程度の簡単な作業に行うことができ、化粧パネルの取り替えを一般の人や女性でも容易に行えるようになる。
【００４１】
このパネル取付状態では、図１１に示されているように、スカート部４６が、下部パネル取付具１１０の前方に位置し、下部パネル取付具１１０を前方より見て完全に隠すから、下部パネル取付具１１０が見えず、見栄えがよい。
【００４２】
また、上部嵌合凸条４０はパネル組立体３０の上端面にあり、下部嵌合凸条４４はパネル組立体３０の前側にあるスカート部４６の裏面にあり、パネル連結嵌合凹溝３８、４２の裏面側を画定する片部３８Ａ、４２Ａ（図１４参照）が薄いことにより、パネル組立体３０と壁面１００との間に大きき空隙ができることがない。このことは、デッドスペースを削減し、空間の有効利用容積の拡大に寄与する。
【００４３】
なお、上述のパネル取付構造は、上下逆であってもよい。上述の実施例では、後向きの下部嵌合凸条４４が下側にあるから、パネル組立体３０の下側を押せばよく、作業性に優れたものになる。これとは逆に、後向きの下部嵌合凸条４４が上側にあると、下向き嵌合凹溝１２２は、上下反転で、上向きの嵌合凹溝になり、パネル組立体３０を垂直荷重で受け持つことになるので、強度面で有利になる。尚、さらには、上述のパネル取付構造は９０度反転で、下部パネル取付具１１０、上部パネル取付具１２０が左右配置になってもよい。
【００４４】
つぎに、本発明によるパネル取付構造を、家屋の部屋の内装面に適用した実施例について、図１〜図７を参照して説明する。なお、本実施例で使用されるパネル組立体は、前述の基本構成によるパネル取付構造で使用されるパネル組立体３０と実質的に同一のものであるので、その説明を省略する。
【００４５】
図１は、本実施例によるパネル取付構造を適用された部屋の概要を示している。図１において、１０は床面を、１２は天井面を、１４は扉を、１６は窓部を、１８は幅木を各々している。図示例では、扉１４がある壁面２０（図２参照）に、本実施例によるパネル取付構造によってパネル組立体３０が取り付けられている。
【００４６】
本実施例によるパネル取付構造では、図３に示されているように、天井面１２に近い部位と、鴨居相当高さ位置と、幅木１８に近い部位の各々にパネル取付具５０が取り付けられている。
【００４７】
パネル取付具５０は、図２、図７に示されているように、小片状のものであり、壁面２０に沿って延在する矩形の取付平板部５２と、取付平板部５２の上縁に沿って、つまり壁面２０に沿って水平方向に延在して取付平板部５２の前方に向けて開口した前向き嵌合凹溝（第１の取付面側嵌合部、第１の嵌合凹溝）５４と、取付平板部５２の下縁に沿って、つまり壁面２０に沿って水平方向に、しかも前向き嵌合凹溝５４と平行に延在し、前向き嵌合凹溝５４の開口方向とは９０度異なった方向、つまり、取付平板部５２の下方に向けて開口した下向き嵌合凹溝（第２の取付面側嵌合部、第２の嵌合凹溝）５６とを有する。前向き嵌合凹溝５４と下向き嵌合凹溝５６は、何れも、円弧内周面によるＣ形の横断面形状をしている。
【００４８】
このように、パネル取付具５０は、前向き嵌合凹溝５４と下向き嵌合凹溝５６の双方を具備し、前述の基本構成による実施例における下部パネル取付具１１０と上部パネル取付具１２０とを兼ねたものである。このパネル取付具５０は、下部パネル取付具１１０と上部パネル取付具１２０とで部品の共通化を図り、部品点数の削減に貢献する。
【００４９】
取付平板部５２には、取付用貫通孔５８が貫通形成されている。本実施例では壁面２０をなす壁材が石膏ボードであるために、取付用貫通孔５８には石膏ボードアンカ６０が通され、パネル取付具５０は石膏ボードアンカ６０と木ねじ６２によって壁面２０に固定される。
【００５０】
壁面２０に対するパネル取付具５０の取り付けは、壁面２０をなす壁材の種類に応じて適切なものが得られればよく、ねじ止め以外に、両面粘着テープ、接着剤により行われてもよい。
【００５１】
パネル取付具５０は、金属製、合成樹脂製のいずれであってもよく、幅寸法は必要な取付強度に応じて定められればよい。取付用貫通孔５８の個数は取付平板部５２の幅寸法に応じて複数個設けられてもよい。
【００５２】
パネル取付具５０は、最小限配置として、基本的には、図２に示されているように、各パネル組立体３０毎に４個、パネル組立体３０の上下左右の四隅に対応する位置に、前向き嵌合凹溝５４が上側、下向き嵌合凹溝５６が下側で、これらが水平に延在する方向姿勢で、壁面２０の表面に固定装着される。
【００５３】
つぎに、パネル組立体３０の取り付け手順を、図４、図５を参照して説明する。
【００５４】
図４に示されているように、パネル組立体３０を下側が手前にくる方向に少し傾斜させ、この状態でパネル組立体３０を押し上げることにより、図５に示されているように、パネル上縁部材３４の上向きの上部嵌合凸条４０を上側のパネル取付具５０の下向き嵌合凹溝５６に嵌め込む。この上部嵌合凸条４０の下向き嵌合凹溝５６に対する嵌め込みは、下向き嵌合凹溝５６を画定する部分（対をなす脚片部）の弾性変形のもとに行われる。
【００５５】
つぎに、上部嵌合凸条４０と下向き嵌合凹溝５６との嵌合部を回動中心としてパネル組立体３０を回動させるように、パネル組立体３０の下側を壁面へ向けて押すことにより、下側のパネル取付具５０の前向き嵌合凹溝５４に、パネル下縁部材３６の後向きの下部嵌合凸条４４を嵌合させる。この下部嵌合凸条４４の前向き嵌合凹溝５４に対する嵌合は、前向き嵌合凹溝５４を画定する部分（対をなす脚片部）の弾性変形のもとに行われる。
【００５６】
このパネル組立体３０を回動させる作業も、上部嵌合凸条４０が、円弧外周面による拡頭形状をして、下向き嵌合凹溝５６の円弧内周方向に摺動可能に嵌合していることにより、当該嵌合部の摺動によって、大きい力を必要とすることなく、且つ嵌合部に大きい変形負荷を与えることなく、円滑に、作業性よく行われる。
【００５７】
以上の作業で、パネル本体３２を含むパネル組立体３０の壁面２０上への取り付けが、図３に示されているように、完了する。パネル組立体３０の取り外しは、上述の取り付け作業と逆の作業によって行うことができる。
【００５８】
これにより、この実施例でも、パネル組立体３０（化粧パネル）の取り付け、取り外しを、日本家屋の襖や引き戸の取り付け、取り外し程度の簡単な作業に行うことができ、化粧パネルの取り替えを一般の人や女性でも容易に行えるようになる。
【００５９】
このパネル取付状態では、図３に示されているように、スカート部４６が、パネル取付具５０の前方に位置し、パネル取付具５０を前方より見て完全に隠すから、パネル取付具５０が室内側から見えず、見栄えがよい。
【００６０】
最上段にあるパネル取付具５０は、スカート部４６よって目隠しされることがないので、最上段にあるパネル取付具５０には、図３に示されているように、専用の目隠しカバー部材８０が取り付けられる。目隠しカバー部材８０は、パネル取付具５０の前向き嵌合凹溝５４に嵌合する嵌合凸条（第３の嵌合凸条）８２を後向きに突出形成され、パネル取付具５０の前方を覆うカバー部８４を一体に有する。
【００６１】
目隠しカバー部材８０は、嵌合凸条８２がパネル取付具５０の前向き嵌合凹溝５４に嵌め込まれることにより、パネル取付具５０に固定され、カバー部８４をもってパネル取付具５０の前方を覆い、パネル取付具５０が室内側から見えないようにする。これにより、見栄えがよくなる。
【００６２】
また、この実施例でも、上部嵌合凸条４０はパネル組立体３０の上端面にあり、下部嵌合凸条４４はパネル組立体３０の前側にあるスカート部４６の裏面にあり、パネル連結嵌合凹溝３８、４４の裏面側を画定する片部３８Ａ、４４Ａが薄いことにより、パネル組立体３０と壁面２０との間に大きき空隙ができることがない。このことは、デッドスペースを削減し、空間の有効利用容積の拡大に寄与する。
【００６３】
なお、壁面２０上にパネル取付具５０が取り付けられていて、パネル組立体３０を取り付けずに、壁面２０を室内に露呈させた内装にする場合には、図６に示されているような目隠しカバー部材９０がパネル取付具５０に取り付けられればよい。
【００６４】
目隠しカバー部材９０は、パネル取付具５０の前向き嵌合凹溝５４に嵌合する嵌合凸条（第３の嵌合凸条）９２を後向きに突出形成され、パネル取付具５０の全体を覆うカバー部９４を一体に有するものであり、嵌合凸条９２がパネル取付具５０の前向き嵌合凹溝５４に嵌め込まれることにより、パネル取付具５０に固定され、カバー部９４をもってパネル取付具５０の全体を覆い、パネル取付具５０が室内側から見えないようにする。これにより、パネル組立体３０を取り付けない場合での見栄えがよくなる。
【００６５】
他の実施例として、図８に示されているように、鴨居の高さ位置に位置するパネル下縁部材３６の前部には、額縁等を吊り下げるためのフック部材４９が係合装着されるフックレール部４８が一体形成されていてもよい。同様に、図９に示されているように、目隠しカバー部材９０にも、フック部材９８が係合装着されるフックレール部９６が一体形成されていてもよい。
【００６６】
また、他の実施例として、図１０に示されているように、上部パネル縁部材とパネル本体と下部パネル縁部材とが一体形成された化粧パネル１３０として、パネル本体１３２の上端部に上部嵌合凸条１３４が一体形成され、パネル本体１３２の下部に下部嵌合凸条１３６とスカート部１３８とが一体形成されたものを用いることもできる。
【００６７】
また、他の実施例として、図１１に示されているように、パネル組立体３０は、パネル本体３２とパネル上縁部材３４とパネル下縁部材３６の外装面側（図１１にて左側の表面）の全体を面一に被覆する被覆シート３９が貼り付けられていてよい。
【００６８】
この実施例では、被覆シート３９に色彩や模様が施されていることに被覆シート３９が壁紙相当になり、パネル本体３２とパネル上縁部材３４、パネル本体３２とパネル下縁部材面３の各々の継ぎ目も見えず、意匠性が向上する。
【００６９】
上述の実施例では、パネル取付具側を嵌合凹溝、パネル組立体側を嵌合凸条としたが、本発明によるパネル取付構造は、これに限られることなく、凹凸嵌合は、上述の実施例とは逆に、パネル取付具側を嵌合凸条、パネル組立体側を嵌合凹溝としても、同様に成立する。
【００７０】
パネル取付具側を嵌合凸条、パネル組立体側を凹溝嵌合とした実施例を、図１２を参照して説明する。なお、図１２において、図３〜図５に対応する部分は、図３〜図５に付した符号と同一の符号を付けて、その説明を省略する。
【００７１】
この実施例では、壁面２０に取り付けられるパネル取付具１１０は、壁面２０に沿って水平方向に延在して壁面２０の前方に向けて突出した前向き嵌合凸条（第１の取付面側嵌合部、第１の嵌合凸条）１４２と、壁面２０に沿って水平方向に、しかも前向き嵌合凸条１４２と平行に延在し、前向き嵌合凸条１４２の突出方向とは９０度異なった方向、つまり、下方に向けて突出した下向き嵌合凸条（第２の取付面側嵌合部、第２の嵌合凸条）１４４とを有する。前向き嵌合凸条１４２と下向き嵌合凸条１４４は、何れも、円弧外周面によるＣ形の横断面形状をしている。
【００７２】
パネル上縁部材３４には、上方に向けて開口し、下向き嵌合凸条１４４に係脱可能に且つ摺動可能に嵌合する円弧内周面による嵌合する上部嵌合凹溝（第２のパネル側嵌合部、第２の嵌合凹溝）４１が形成されている。上部嵌合凹溝４１は、後述する前向きの下部嵌合凹溝４５とは９０度異なった方向に向けて開口している。
【００７３】
パネル下縁部材３６には、パネル本体３２の厚さ方向と同方向に壁面２０に向けて開口し、前向き嵌合凸条１４２に係脱可能に且つ摺動可能に嵌合する円弧内周面による下部嵌合凹溝（第１のパネル側嵌合部、第１の嵌合凹溝）４５が形成されている。
【００７４】
これにより、この実施例でも、上述の実施例と同様の作用、効果が得られる。
【００７５】
図１３は、本発明によるパネル取付構造の他の実施例を示している。なお、図１３において、図１〜図３に対応する部分は、図１〜図３に付した符号と同一の符号を付けて、その説明を省略する。
【００７６】
この実施例では、パネル取付具５０に、下向き嵌合凹溝５６に代えて前方に突出したフック片５７が形成されている。パネル組立体３０のパネル上縁部材３４には、フック片５７と嵌合可能な嵌合開口３７を含む係合片３５が形成されている。
【００７７】
上側のパネル取付具５０の嵌合開口３７とフック片５７とは、取付面側嵌合部とパネル側嵌合部との一方の嵌合部となし、図示されているような係合により、壁面２０に対して位置決めされた位置にてパネル本体３２の回動を許す嵌合状態を成立する。
【００７８】
これにより、この実施例では、嵌合開口３７にフック片５７を差し込み、嵌合開口３７とフック片５７との係合部を回動中心としてパネル組立体３０を回動させることにより、下側のパネル取付具５０の前向き嵌合凹溝５４に、パネル下縁部材３６の後向きの下部嵌合凸条４４を嵌合させることができる。したがって、この実施例でも、上述の実施例と同様の作用、効果が得られる。
【００７９】
尚、本発明によるパネル取付構造は、部屋内壁以外に、間仕切り、舞台装置、イベント会場等の壁面の化粧パネルの取付構造としても適用できる。
【符号の説明】
【００８０】
１０  床面
１２  天井面
２０  壁面
３０  パネル組立体
３２  パネル本体
３４  パネル上縁部材
３６  パネル下縁部材
３８  パネル連結嵌合凹溝
４０  上部嵌合凸条
４１  上部嵌合凹溝
４２  パネル連結嵌合凹溝
４４  下部嵌合凸条
４５  下部嵌合凹溝
４６  スカート部
５０  パネル取付具
５４  前向き嵌合凹溝
５６  下向き嵌合凹溝
８０、９０  隠しカバー部材
１００  壁面
１１０  下部パネル取付具
１１２  前向き嵌合凹溝
１２０  上部パネル取付具
１２２  下向き嵌合凹溝
１３０  パネル取付具
１３２  前向き嵌合凸条
１３４  下向き嵌合凸条
【図１】
0005478301.tif 000002
【図２】
0005478301.tif 000003
【図３】
0005478301.tif 000004
【図４】
0005478301.tif 000005
【図５】
0005478301.tif 000006
【図６】
0005478301.tif 000007
【図７】
0005478301.tif 000008
【図８】
0005478301.tif 000009
【図９】
0005478301.tif 000010
【図１０】
0005478301.tif 000011
【図１１】
0005478301.tif 000012
【図１２】
0005478301.tif 000013
【図１３】
0005478301.tif 000014
【図１４】
0005478301.tif 000015
【図１５】
0005478301.tif 000016
【図１６】
0005478301.tif 000017